(57)【要約】      （修正有）【課題】電気製品のコード類を巻き取るための掛止具を提供する。【解決手段】柱状体１の下端部に接着または吸着機能を有する保持体２を一体に設け、前記柱状体の上部に鍔体４を設けた、電機製品のコード類の掛止具。【選択図】図４
2012199742.tif 000002
【特許請求の範囲】
【請求項１】
柱状体の下端部に、接着または吸着機能を底部に有する保持体を一体に設け、前記柱状体の上部に鍔体を設けたことを特徴とする電機製品のコード類の掛止具。
【発明の詳細な説明】
【技術分野】
【０００１】
本発明は、イヤホーン、ヘッドホーン等の電気音響変換器、電気スタンド等の照明器具、ヘアドライヤー等の乾燥器等のコード類の掛止具に関する。
【背景技術】
【０００２】
従来、携帯ラジオ等には一部電気音響器具中にイヤホーンコードを巻取るような機種もあるが、これらもイヤホーンのコード長が短い場合は可能であるが、コード長が長くなると巻取りが不可能であった。そこで一般的には携帯ラジオやデジタルオーディオプレーヤーの本体に巻き付けて収納していた。また携帯型の丸型ＣＤプレーヤーのように丸形の場合は、本体に巻き付けることができないため、イヤホーンを取りはずして別に収納しなければならなかった。さらに電気スタンド等はコードを支柱部や笠部に巻き付けて収納しなければならなかった。ヘアドライヤーも握手部や送風部の胴体にコードを巻き付けて収納されていた。
【０００３】
しかしながら、単に器具類に巻き付けただけでは解かれてしまうために器具類に巻き付けたコードにイヤホーンの先端部を通さなければならないが、耳の穴に差し込む部分が邪魔になって巻き付けられたコードに潜らすことが困難であった。ヘアドライヤーの場合にもやはり握手部や送風胴部に巻き付けても解かれてしまい、コード部を収納することは困難であった。
【発明の概要】
【発明が解決しようとする課題】
【０００４】
そこで本発明者は、どんな電気製品にも簡単に取り付けてコード類を巻き取れるような汎用性のある掛止具について種々研究を重ねた結果、本発明を完成するに至った。
【課題を解決するための手段】
【０００５】
すなわち本発明は、柱状体の下端部に接着または吸着機能を底部に有する保持体を一体に設け、前記柱状体の上部に鍔体を設けたことを特徴とする、電機製品のコード類の掛止具である。
【発明の効果】
【０００６】
本発明の掛止具を用いれば、保持体がシート状である場合には、電気製品の曲面部にも固定装着することができ、また吸着機能を有する保持体の場合には脱着が可能なことから繰り返し使用することができる。
本発明は、掛止具を少なくとも２個間隔を置いて電気製品に装着することによって、イヤホーンコード、電気コード等を電機製品本体に捲回することができる。コード類の捲回手段も掛止具の配置によって、０字状、８字状、網目状等に捲回することができる。
【図面の簡単な説明】
【０００７】
【図１】柱状体と保持体とを一体に設けた側面図。
【図２】鍔体の平面図
【図３】図２の鍔体のＡ−Ａ`の縦断面図。
【図４】掛止具の側面図
【図５】柱状体と保持体とを一体に設けた側面図。
【図６】鍔体の側断面図
【図７】柱状体と保持体とを一体に設けた側面図。
【図８】鍔体の側断面図
【図９】柱状体と保持体とを一体に設けた側断面図。
【図１０】掛止具の平面図
【図１１】図１０のＢ−Ｂ`断面図
【図１２】鍔体の側面図
【図１３】掛止具の側面図
【図１４】携帯ラジオの裏面に掛止具を設けイヤホーンを巻き付いた状態を示す平面図。
【発明を実施するための形態】
【０００８】
次に本発明を図面を参照しながら説明するが、本発明は以下の説明のみに限定されるものではない。
図１に示すように柱状体１の下端部に保持体２を一体に設ける。そして保持体２の底面には電気製品に接着固定するための接着剤層３を設ける。
一方柱状体１の上部には例えば図２および図３に示すように傘型の鍔体４を設ける。この鍔体４には中心部に柱状体１に嵌合できる凹部５を設ける。そして保持体２を有する柱状体１の頂部に図３に示した傘型の鍔体４の凹部を差し込むことによって図４に示すような掛止具が構成される。
【０００９】
また本発明の他の態様として図５に示すように、柱状体１の上部から下部に向ってネジ溝（オス形）６を設け、一方鍔体４には図６に示すように、その中心部にネジ溝（メス形）７を有する穴を貫通するように設ける。そしてこの鍔体４を柱状体１に螺合するように装着する。このようにすることによってコード類の太さ等により保持体２と鍔体４との間隔を任意に変えることができる。
【００１０】
さらに他の態様として図７に示すように柱状体１の任意の部位に円環状の凹部８を設ける。一方鍔体４には図８に示すうに中心部に貫通口９を設け、貫通口９の壁部には柱状体１の凸部８に嵌合する凹部１０を設ける。そして鍔体４の凹部１０を柱状体１に設けられた任意の凸部８に嵌合させることによって保持体２との高さを任意に調整固定することができる。
【００１１】
また支持体２を図９に示すようにオワン形とし中空部１１を設けることによって中空部１１の中の空気を抜いた状態で電気製品の表面に圧着させると吸着盤として装着させることができる。
【００１２】
本発明の他の態様として、図１０に示すように保持体２に対称形のヒョウタン状の凹部１１を設け、その広がった上下の凹部に柱状体１を設け、その上端部に鍔体４を設ける。この場合、合成樹脂等を用い一体成型することもできる。保持体１の底面には接着層３を設ける。
【００１３】
本発明の鍔体４は傘型の他、図１２に示すような円形平板状のものも使用することができる。円形平板状のものの中心部に柱状体１の上端部が嵌合できる凹部１２を設けるか、また貫通穴を設けることもできる。
【００１４】
柱状体１の形状は、横断面が丸形、楕円形、三角形、四角形、五角形、六角形等種々の形状のものが採用できるが、特に丸形が種々の機能を付与するに好適である。
【００１５】
本発明の掛止具の素材としては、軟質合成樹脂、硬質合成樹脂、金属類が用いられる。これらの素材は機能に応じて適宜選択することができる。
【００１６】
次に本発明の掛止具を用いた例を説明する。図１４に示すように携帯ラジオ１３に付けられたイヤホーン１４を携帯ラジオ１３の裏面に掛止具１５，１６，１７，１８を設け、この掛止具に８の字を描くように巻き付けて最後に掛止具１６に２，３回巻き付けることによってゆるむことなく固定することができる。
【符号の説明】
【００１７】
１・・・・柱状体
２・・・・保持体
３・・・・接着層
４・・・・鍔体
【図１】
2012199742.tif 000003
【図２】
2012199742.tif 000004
【図３】
2012199742.tif 000005
【図４】
2012199742.tif 000006
【図５】
2012199742.tif 000007
【図６】
2012199742.tif 000008
【図７】
2012199742.tif 000009
【図８】
2012199742.tif 000010
【図９】
2012199742.tif 000011
【図１０】
2012199742.tif 000012
【図１１】
2012199742.tif 000013
【図１２】
2012199742.tif 000014
【図１３】
2012199742.tif 000015
【図１４】
2012199742.tif 000016